(57)【要約】      （修正有）【課題】押圧による漏れを防止した哺乳瓶を提供する。【解決手段】シリコーンゴム製の哺乳瓶の、瓶本体１上部の瓶口１１部分に、ステンレス或いはプラスチック硬質材で製造されてネジ山を具えたネジスリーブ２が設けられ、ニップル１６を具えたニップルカバー１５がそれに螺合され、瓶本体の底部中央に通気孔１３が設けられ、該通気孔の周縁に、厚さが比較的厚いリング部１３１が形成され、リング部外の周縁の瓶底部は厚さが比較的薄い部分とされる。瓶本体が外力により握られる時、リング部外周縁の瓶底部の厚さの比較的薄い部分のみが押圧により変形し、該通気孔は押圧により変形してミルク漏れを形成することがない。【選択図】図３
0003176126.tif 000002
【実用新案登録請求の範囲】
【請求項１】
押圧による漏れを防止した哺乳瓶において、
シリコーンゴム製の哺乳瓶の瓶本体の上部の瓶口部分に、ネジ山を具えたネジスリーブが嵌合され、ニップルを具えたニップルカバーが該ネジスリーブに螺合され、該瓶本体の瓶底部中央に通気孔が設けられ、該通気孔の周縁に、厚さが比較的厚いリング部が形成され、該リング部外の周縁の瓶底部は厚さが比較的薄い部分とされ、該瓶本体が握持押圧される時、該リング部外周縁の瓶底部の厚さの比較的薄い部分のみが押圧により変形し、該通気孔は押圧により変形してミルク漏れを形成することがなく、これにより、押圧によるミルク漏れ防止と共に通気機能を具備することを特徴とする、押圧による漏れを防止した哺乳瓶。
【請求項２】
請求項１記載の押圧による漏れを防止した哺乳瓶において、該通気孔が一字或いは十字形の切割線により形成されたことを特徴とする、押圧による漏れを防止した哺乳瓶。
【請求項３】
請求項１記載の押圧による漏れを防止した哺乳瓶において、該瓶本体の瓶口の口縁にフランジが形成されて、該ネジスリーブが螺合された後に脱落しないことを特徴とする、押圧による漏れを防止した哺乳瓶。
【請求項４】
請求項１記載の押圧による漏れを防止した哺乳瓶において、該ネジスリーブがステンレス材料で形成されたことを特徴とする、押圧による漏れを防止した哺乳瓶。
【請求項５】
請求項１記載の押圧による漏れを防止した哺乳瓶において、該ネジスリーブがプラスチック材料で形成されたことを特徴とする、押圧による漏れを防止した哺乳瓶。
【請求項６】
請求項１記載の押圧による漏れを防止した哺乳瓶において、該瓶本体の瓶底部に一つ以上の通気孔が設けられたことを特徴とする、押圧による漏れを防止した哺乳瓶。
【請求項７】
押圧による漏れを防止した哺乳瓶において、シリコーンゴムで形成された哺乳瓶瓶本体上部の瓶口部分に、ネジ山を具えたネジスリーブが嵌合され、該ネジスリーブにニップルを具えたニップルカバーが螺合され、該瓶本体の瓶口の口縁に、フランジが形成され、該ネジスリーブが嵌合された後に離脱しないものとされ、該瓶本体の瓶底部中央に通気孔が設けられ、該哺乳瓶の瓶本体の底部位置に、周縁部に一つ以上の長孔を具えた底蓋が設けられ、該底蓋は該瓶本体が金型中で射出成形される時に瓶本体底部と結合され一体とされ、並びに瓶本体のシリコーンゴム材料が該底蓋周縁部に設けられたこれら長孔に進入し、該底蓋周縁が該瓶本体の底部により被覆結合され一体とされて脱落せず、該底蓋に中孔が設けられ、該中孔の周囲に一つ或いは複数の通気孔が設けられ、空気の進入に供されることを特徴とする、押圧による漏れを防止した哺乳瓶。
【請求項８】
請求項７記載の押圧による漏れを防止した哺乳瓶において、該通気孔が一字或いは十字形の切割線により形成されたことを特徴とする、押圧による漏れを防止した哺乳瓶。
【請求項９】
請求項７記載の押圧による漏れを防止した哺乳瓶において、該ネジスリーブがステンレス材料で形成されたことを特徴とする、押圧による漏れを防止した哺乳瓶。
【請求項１０】
請求項７記載の押圧による漏れを防止した哺乳瓶において、該ネジスリーブがプラスチック材料で形成されたことを特徴とする、押圧による漏れを防止した哺乳瓶。
【考案の詳細な説明】
【技術分野】
【０００１】
本考案は一種の押圧による漏れを防止した哺乳瓶に係り、特に、シリコーンゴム製の哺乳瓶の、瓶本体上部の瓶口部分に、ステンレス或いはプラスチック硬質材で製造されてネジ山を具えたネジスリーブが設けられ、ニップルを具えたニップルカバーがそれに螺合され、瓶本体の底部中央に通気孔が設けられ、該通気孔の周縁に、厚さが比較的厚いリング部が形成され、該通気孔が押圧により変形してミルク漏れを形成することがなく、該リング部外の周縁の瓶底部は厚さが比較的薄い部分とされ、瓶本体が外力により握られる時、リング部外周縁の瓶底部の厚さの比較的薄い部分のみが押圧により変形し、該通気孔は押圧により変形してミルク漏れを形成することがなく、これにより、押圧によるミルク漏れ防止と共に通気の目的を達成すると共に、瓶本体交換可能な哺乳瓶の構造に関する。
【背景技術】
【０００２】
一般に伝統的な哺乳瓶はガラス製或いはプラスチック製の二種類に分けられ、ガラス製或いはプラスチック製のいずれであっても、瓶本体はいずれも比較的硬く、ゆえに乳幼児の吸引力が不足するか他人による食事補助を必要な老人或いは病人は、適宜に哺乳瓶を押圧して吸い出しを補助することができない。このため、伝統的な哺乳瓶は吸引力が比較的強い乳幼児にのみ適用する。
【０００３】
このほか、伝統的なニップル及び哺乳瓶の構造は、ニップル前端の吸い付き部の上端に、ミルクを流出させるための切り込みが設けられ、並びにニップルのベース部のフランジに、少なくとも一つの空気孔が設けられ、且つ各空気孔が一つの空気案内溝に対応し、現在市販されているニップルは、使用時には瓶カバーで哺乳瓶の瓶口に取付けられる。ミルクが吸われる時、哺乳瓶外部の空気は空気案内溝をとおり空気孔内に進入し、外界の空気が哺乳瓶内に進入して対流を形成し、順調にミルクを吸い出せる。吸い付き部に外力による吸い付きがない時は、弾性を有する空気孔は弾性的に閉じ合わさり、ミルクは空気孔より溢出しない。しかしこのような空気孔設計は理論上、ミルクの漏出を防止できるが、空気孔の孔口は哺乳瓶自身の材料の弾性により自然に密着し、その密着度は不良であり、もし使用者が自分で尖ったもので突き刺して空気孔を形成するなら、空気孔の孔口の大きさは制御不能で、また、各乳幼児毎にニップルに吸いつく力は異なるため、空気孔の孔口が過大となり哺乳瓶内のミルクが、空気孔より少量溢れ出るか、或いは空気孔の孔口が小さすぎると、乳幼児の吸い付きに影響を与える。
【０００４】
さらに、もしシリコーンゴムのような軟質プラスチックで形成された哺乳瓶瓶本体であって、その瓶底に通気孔が設けられている場合は、瓶本体が軟らかすぎ、ゆえに瓶本体が外から握られる時、瓶底に設けられた通気孔が変形し、ミルク漏れの状況を形成する。これにより、いかに押圧によるミルク漏れの防止と通気の機能を達成するかが、解決を要する課題である。
【考案の概要】
【考案が解決しようとする課題】
【０００５】
本考案の主要な目的は、一種の押圧による漏れを防止した哺乳瓶を提供することにあり、それは、瓶本体の底部中央に通気孔が設けられ、該通気孔の周縁に、厚さが比較的厚いリング部が形成され、該通気孔が押圧により変形してミルク漏れを形成することがないものとされ、該リング部外の周縁の瓶底部に厚さが薄い部分が形成され、瓶本体が外部から握られる時、該リング部外周縁の瓶底部の厚さが薄い部分のみが押圧変形し、該通気孔が押圧により変形せず、これにより押圧によるミルク漏れ防止と通気の目的を達成するものとする。
【０００６】
本考案の次の目的は、シリコーンゴムのような軟質プラスチックで製造した哺乳瓶瓶本体上部瓶口部分に、ネジを具えたネジスリーブを嵌合し、ニップルのニップルカバーをその上に螺合し、瓶本体が使用期限に達した時に、瓶本体上方のネジスリーブを取り外して新しい瓶本体上部に取付けることができ、哺乳瓶瓶本体を交換できる機能を達成することにある。
【０００７】
本考案のさらに一つの目的は、シリコーンゴムのような軟質プラスチックで製造した哺乳瓶瓶本体の握持による押圧可能な特性により、吸い付き力が不足する乳幼児或いは飲食補助が必要な病人或いは老人が適宜に哺乳瓶を押圧することで、その飲食を補助できるようにすることにある。
【課題を解決するための手段】
【０００８】
本考案の押圧による漏れを防止した哺乳瓶は、シリコーンゴム製の哺乳瓶の瓶本体上部の瓶口部分に、ステンレス或いはプラスチック硬質材で製造されてネジ山を具えたネジスリーブが設けられ、ニップルを具えたニップルカバーがそれに螺合され、瓶本体の底部中央に通気孔が設けられ、該通気孔の周縁に、厚さが比較的厚いリング部が形成され、該通気孔が押圧により変形してミルク漏れを形成することがなく、該リング部外の周縁の瓶底部は厚さが比較的薄い部分を形成し、瓶本体が外力により握られる時、リング部外周縁の瓶底部の厚さの比較的薄い部分が押圧されて変形し、通気孔を押圧により変形させず、ミルク漏れを防止し、これにより、押圧によるミルク漏れ防止と共に通気の目的を達成する。そのうち、該通気孔は一字或いは十字形の切割線で形成され、該通気孔は平常時の哺乳瓶の瓶本体の内外気圧が平衡状態となる時、ミルクの重力が瓶底部に加わり、これにより通気孔が閉じた状態を保持する。哺乳瓶が倒立傾斜させられて吸われる時は、瓶本体内外の空気圧力が不平衡状態となり、瓶本体外部の空気が通気孔を押し開き瓶本体内に進入し、瓶本体の内外気圧の平衡状態を形成し、瓶本体内の液体を順調にニップルより吸い出させ、且つ瓶本体が使用期限にいたると、瓶本体情報のネジスリーブを取り外して新しい瓶本体の上部に取り付けることができ、これにより哺乳瓶の瓶本体を交換する機能を達成し、これにより押圧によるミルク漏れ防止と通気の目的及び哺乳瓶の瓶本体を交換可能とする目的を達成する。
【考案の効果】
【０００９】
総合すると、本考案は押圧によるミルク漏れを防止し、哺乳瓶の瓶本体を交換でき、瓶本体内の液体を順調にニップルより吸い出させる等の作用効果を有している。
【図面の簡単な説明】
【００１０】
【図１】本考案の好ましい実施例の立体分解図である。
【図２】本考案の組合せ立体図である。
【図３】本考案の組合せ断面図である。
【図４】本考案の哺乳瓶瓶本体が握持押圧される時、リング部外周縁の瓶底部の厚さが薄い部分のみが押圧変形する実施例断面図である。
【図５】本考案の哺乳瓶が吸われる時に、瓶本体の内外の空気圧力が不平衡状態となる時に、瓶本体外部の空気が通気孔より瓶本体内に進入する実施例断面図である。
【図６】本考案の瓶本体の瓶底部に複数の通気孔が設けられた実施例の立体図である。
【図７】本考案の別の実施例の立体分解図である。
【図８】本考案の別の実施例の断面図である。
【考案を実施するための形態】
【００１１】
図１、２、３を参照されたい。本考案の押圧による漏れを防止した哺乳瓶は、シリコーンゴムで製造された哺乳瓶の瓶本体（１）の上部の瓶口（１１）部分に、ステンレス或いは硬質プラスチックで形成されて雄ネジ（２１）を具えたネジスリーブ（２）が嵌合される。該ネジスリーブ（２）には、ニップル（１６）を具えたニップルカバー（１５）の雌ネジ（１７）が螺合される。
【００１２】
該瓶本体（１）の瓶底部（１２）の中央には通気孔（１３）が設けられ、該通気孔（１３）の周縁に、厚さが比較的厚いリング部（１３１）が形成されて、該通気孔（１３）がこれにより押圧により変形せず、これにより押圧によるミルク漏れを発生しない。
該リング部（１３１）外の周縁の瓶本体の底部（１２）は厚さが比較的薄く、厚さが薄い部分（１４）が形成され、瓶本体（１）が外から握持押圧される時、該リング部（１３１）の外周縁の瓶底部（１２）の厚さが薄い部分（１４）のみが押圧により変形し、該通気孔（１３）は押圧により変形せず、これによりミルク漏れを形成せず、これにより、押圧による漏れ防止と通気機能を兼ね備える目的を達成する（図４参照）。
【００１３】
並びに、瓶本体（１）の瓶口（１１）の縁に、フランジ（１１１）が形成され、ネジスリーブ（２）が嵌合された後には脱落しない。また、該通気孔（１３）は一字或いは十字形の切割線で構成され、該通気孔（１３）は平時に、該瓶本体（１）内外の気圧が平衡状態にある時、ミルクの重力により瓶底部（１２）が押圧されることで、通気孔（１３）は閉じた状態を保持する。瓶底部（１２）が倒されて斜めとされて、ニップル（１６）が吸いつかれ、瓶本体（１）の内外の空気圧力が不平衡状態となると、瓶本体（１）外部の空気が通気孔（１３）を押し開き、瓶本体（１）内に進入し、瓶本体（１）内外の気圧の平衡状態を構成し、瓶本体（１）内のミルク或いは液体を順調にニップル（１６）より吸い出させる（図５に示されるとおり）。
【００１４】
また、瓶本体（１）が使用期限となると、瓶本体（１）の瓶口（１１）部分よりネジスリーブ（２）を取り外して新しい瓶本体（１）の瓶口（１１）部分に取り付けることができ、瓶本体（１）交換の機能を達成し、こうして押圧による漏れ防止と通気機能の目的を達成する。
【００１５】
該ネジスリーブ（２）はステンレス材料で製造され得て、且つ本考案は必要により瓶本体（１）の瓶底部（１２）に、一つ以上の通気孔（１３）を設けることができ、こうして押圧による漏れ防止と通気をさらに順調とする目的を達成できる（図６参照）。
【００１６】
次に、図７及び図８に示されるように、本考案の別の実施例によると、瓶本体（１）の底部位置に、周縁部（１１３）に一つ以上の長孔（１１４）を具えた底蓋（１１２）が設けられ、該底蓋（１１２）は瓶本体（１）が金型中で射出成形される時に、瓶本体（１）の瓶底部（１２）と一体に結合され、並びに瓶本体（１）のシリコーンゴム材料が該底蓋（１１２）の周縁部（１１３）に設けられたこれらの長孔（１１４）に進入し、該底蓋（１１２）の周縁が完全に瓶本体（１）の瓶底部（１２）に包囲結合され一体とされ、離脱しないものとされる。該底蓋（１１２）には中孔（１１５）が設けられ、該中孔（１１５）の周囲にも一つ或いは複数の通気孔（１１６）が設けられて、空気の進入に供される。且つこの実施例の瓶本体（１）の底部近くの周縁及び瓶底部（１２）の材料の厚さはいずれも増加され、底部の構造の硬度が増されている。
【符号の説明】
【００１７】
（１）瓶本体
（１１）瓶口
（１１１）フランジ
（１１２）底蓋
（１１３）周縁部
（１１４）長孔
（１１５）中孔
（１１６）通気孔
（１２）瓶底部
（１３）通気孔
（１３１）リング部
（１４）厚さが薄い部分
（１５）ニップルカバー
（１６）ニップル
（１７）雌ネジ
（２）ネジスリーブ
（２１）雄ネジ
【図１】
0003176126.tif 000003
【図２】
0003176126.tif 000004
【図３】
0003176126.tif 000005
【図４】
0003176126.tif 000006
【図５】
0003176126.tif 000007
【図６】
0003176126.tif 000008
【図７】
0003176126.tif 000009
【図８】
0003176126.tif 000010